(57)【要約】  部品価格の高騰及び運転中の効率の低下を抑えつつ、且つ起動トルクを大きくできる圧縮機用電動機を提供することを目的とする。この発明に係る圧縮機用電動機は、密閉容器の内部に冷媒を圧縮する圧縮要素とともに収納され、圧縮要素と駆動軸により連結して圧縮要素を駆動する圧縮機用電動機において、密閉容器の内周部に固定される固定子と、固定子の内側に設けられ、回転子鉄心１１ａを有する回転子１１と、回転子鉄心１１ａに鋳込まれる、外層二次導体及び内層二次導体を備える二次導体とエンドリング３２とで構成される二重かご形導体とを備え、回転子鉄心１１ａには、冷媒の通路となる風穴３３が設けられ、エンドリング３２は、その内径側が、風穴３３を塞ぐように、駆動軸側に拡大するとともに、風穴３３を塞がないようにするために、風穴３３を密閉容器の空間に連通させる切欠き３４を有するものである。
2009084245.tif 000002
【特許請求の範囲】
【請求項１】
密閉容器の内部に冷媒を圧縮する圧縮要素とともに収納され、前記圧縮要素と駆動軸により連結して該圧縮要素を駆動する圧縮機用電動機において、
前記密閉容器の内周部に固定される固定子と、
前記固定子の内側に設けられ、回転子鉄心を有する回転子と、
前記回転子鉄心に鋳込まれる、外層二次導体及び内層二次導体を備える二次導体とエンドリングとで構成される二重かご形導体とを備え、
前記回転子鉄心には、前記冷媒の通路となる風穴を設け、
前記エンドリングは、その内径側が前記風穴を塞ぐように前記駆動軸側に拡大するとともに、前記風穴を塞がないようにするために、前記風穴を前記密閉容器の空間に連通させる逃がし部を有することを特徴とする圧縮機用電動機。
【請求項２】
前記逃がし部を前記エンドリングの内周に設けた切欠きで構成したことを特徴とする請求項１記載の圧縮機用電動機。
【請求項３】
前記逃がし部を前記エンドリングに設けたエンドリング風穴で構成したことを特徴とする請求項１記載の圧縮機用電動機。
【請求項４】
密閉容器の内部に冷媒を圧縮する圧縮要素とともに収納され、前記圧縮要素と駆動軸により連結して該圧縮要素を駆動する圧縮機用電動機において、
前記密閉容器の内周部に固定される固定子と、
前記固定子の内側に設けられ、回転子鉄心を有する回転子と、
前記回転子鉄心に鋳込まれる、外層二次導体及び内層二次導体を備える二次導体とエンドリングとで構成される二重かご形導体とを備え、
前記固定子には、前記冷媒の通路となる固定子風穴を設け、
前記エンドリングの内径側を前記駆動軸の近傍に位置するように構成することを特徴とする圧縮機用電動機。
【請求項５】
前記固定子は固定子鉄心を備え、前記固定子鉄心の外周部に切欠きを設け、前記密閉容器と前記固定子鉄心の外周部の切欠きとの間に前記固定子風穴を設けたことを特徴とする請求項４記載の圧縮機用電動機。
【請求項６】
前記回転子鉄心は前記駆動軸と嵌合する軸孔を備え、前記エンドリングの内径を前記軸孔の直径よりも８ｍｍ以上大きくしたことを特徴とする請求項１記載の圧縮機用電動機。
【請求項７】
前記回転子鉄心は前記駆動軸と嵌合する軸孔を備え、前記エンドリングの内径を前記軸孔の直径よりも８ｍｍ以上大きくしたことを特徴とする請求項４記載の圧縮機用電動機。
【請求項８】
前記エンドリングの合計の体積を、前記回転子鉄心の体積の１３％以上としたことを特徴とする請求項１記載の圧縮機用電動機。
【請求項９】
前記エンドリングの合計の体積を、前記回転子鉄心の体積の１３％以上としたことを特徴とする請求項４記載の圧縮機用電動機。
【請求項１０】
前記圧縮要素は軸受けを備え、前記圧縮機用電動機は、前記圧縮要素の軸受けで片側が支持される、軸受けが片持ち構造であり、
前記固定子と前記回転子との間の空隙の径方向長さを以下のようにすることを特徴とする請求項１記載の圧縮機用電動機。
（１）前記固定子の外径が１４０ｍｍより小さい場合、前記空隙の径方向長さを０．６ｍｍ以下；
（２）前記固定子の外径が１４０ｍｍを超える場合、前記空隙の径方向長さを０．８ｍｍ以下。
【請求項１１】
前記回転子鉄心の前記圧縮要素の軸受けの反対側の外周を切削し、前記回転子鉄心の前記圧縮要素の軸受け側の外周よりも外径を小さくしたことを特徴とする請求項１０記載の圧縮機用電動機。
【請求項１２】
請求項１記載の圧縮機用電動機を搭載したことを特徴とする圧縮機。
【請求項１３】
冷媒にＲ２２を使用することを特徴とする請求項１２記載の圧縮機。
【請求項１４】
冷媒にＲ４１０ａを使用することを特徴とする請求項１２記載の圧縮機。
【請求項１５】
冷媒にＣＯ２を使用することを特徴とする請求項１２記載の圧縮機。
【請求項１６】
請求項１２記載の圧縮機と、凝縮器と、減圧装置と、蒸発器とを冷媒配管で接続したことを特徴とする冷凍サイクル装置。
【請求項１７】
請求項１３記載の圧縮機と、凝縮器と、減圧装置と、蒸発器とを冷媒配管で接続したことを特徴とする冷凍サイクル装置。
【請求項１８】
請求項１４記載の圧縮機と、凝縮器と、減圧装置と、蒸発器とを冷媒配管で接続したことを特徴とする冷凍サイクル装置。
【請求項１９】
請求項１５記載の圧縮機と、凝縮器と、減圧装置と、蒸発器とを冷媒配管で接続したことを特徴とする冷凍サイクル装置。
【発明の詳細な説明】
【技術分野】
【０００１】
この発明は、圧縮機用電動機及び圧縮機及び冷凍サイクル装置に関するものである。
【背景技術】
【０００２】
空気調和機等の冷凍空調装置に使用される圧縮機において、圧縮機構を駆動する電動機には、ブラシレスＤＣモータ、誘導電動機等が使用されている。誘導電動機では、普通かご形誘導電動機（一重かご形）が主に用いられる。【０００３】
誘導電動機には、三相誘導電動機と単相誘導電動機とがある。圧縮機に誘導電動機を使用する場合、三相誘導電動機は起動トルクが大きいため起動に関する課題は少ない。しかし、単相誘導電動機では、外部に接続される運転用のコンデンサだけでは、十分な起動トルクがでない。そのため、運転用のコンデンサの他に、起動用のコンデンサを追加することがある（例えば、特許文献１参照）。【０００４】
また、単相誘導電動機の固定子に巻線される主巻線と補助巻線との位相差を９０°（電気角）からずらすことも行われる。【０００５】
さらに、回転子の二次抵抗を大きくして、起動トルクを大きくすることも行われる。
【特許文献１】特開平６−２１３１６７号公報
【発明の開示】
【発明が解決しようとする課題】
【０００６】
しかしながら、上記特許文献１のように、起動用のコンデンサを追加する方法は、起動用のコンデンサを開閉する開閉器も必要なため部品価格が高くなるという課題がある。【０００７】
また、主巻線と補助巻線との位相差を９０°（電気角）からずらす方法は、固定子鉄心のスロット数によっては実現できないという課題がある。【０００８】
さらに、回転子の二次抵抗を大きくして、起動トルクを大きくする方法は、単相誘導電動機の運転中の効率が低下するという課題がある。【０００９】
この発明は、上記のような課題を解決するためになされたもので、部品価格の高騰及び運転中の効率の低下を抑えつつ、且つ起動トルクを大きくできる圧縮機用電動機及び圧縮機及び冷凍サイクル装置を提供することを目的とする。
【課題を解決するための手段】
【００１０】
この発明に係る圧縮機用電動機は、密閉容器の内部に冷媒を圧縮する圧縮要素とともに収納され、圧縮要素と駆動軸により連結して圧縮要素を駆動する圧縮機用電動機において、
密閉容器の内周部に固定される固定子と、
固定子の内側に設けられ、回転子鉄心を有する回転子と、
回転子鉄心に鋳込まれる、外層二次導体及び内層二次導体を備える二次導体とエンドリングとで構成される二重かご形導体とを備え、
回転子鉄心には、冷媒の通路となる風穴を設け、
エンドリングは、その内径側が、風穴を塞ぐように、駆動軸側に拡大するとともに、
風穴を塞がないようにするために、風穴を密閉容器の空間に連通させる逃がし部を設けたことを特徴とする。【００１１】
この発明に係る圧縮機用電動機は、逃がし部をエンドリングの内周に設けた切欠きで構成したことを特徴とする。【００１２】
この発明に係る圧縮機用電動機は、逃がし部をエンドリングに設けたエンドリング風穴で構成したことを特徴とする。【００１３】
この発明に係る圧縮機用電動機は、密閉容器の内部に冷媒を圧縮する圧縮要素とともに収納され、圧縮要素と駆動軸により連結して該圧縮要素を駆動する圧縮機用電動機において、
密閉容器の内周部に固定される固定子と、
固定子の内側に設けられ、回転子鉄心を有する回転子と、
回転子鉄心に鋳込まれる、外層二次導体及び内層二次導体を備える二次導体とエンドリングとで構成される二重かご形導体とを備え、
固定子には、冷媒の通路となる固定子風穴を設け、
エンドリングの内径側を駆動軸の近傍に位置するように構成することを特徴とする。【００１４】
この発明に係る圧縮機用電動機は、固定子は固定子鉄心を備え、固定子鉄心の外周部に切欠きを設け、密閉容器と固定子鉄心の外周部の切欠きとの間に固定子風穴を設けたことを特徴とする。【００１５】
この発明に係る圧縮機用電動機は、回転子鉄心は駆動軸と嵌合する軸孔を備え、エンドリングの内径を軸孔の直径よりも８ｍｍ以上大きくしたことを特徴とする。【００１６】
この発明に係る圧縮機用電動機は、エンドリングの合計の体積を、回転子鉄心の体積の１３％以上としたことを特徴とする。【００１７】
この発明に係る圧縮機用電動機は、圧縮要素は軸受けを備え、圧縮機用電動機は、圧縮要素の軸受けで片側が支持される、軸受けが片持ち構造であり、固定子と回転子との間の空隙の径方向長さを以下のようにすることを特徴とする。
（１）固定子の外径が１４０ｍｍより小さい場合、空隙の径方向長さを０．６ｍｍ以下；
（２）前記固定子の外径が１４０ｍｍを超える場合、空隙の径方向長さを０．８ｍｍ以下。【００１８】
この発明に係る圧縮機用電動機は、回転子鉄心の圧縮要素の軸受けの反対側の外周を切削し、回転子鉄心の圧縮要素の軸受け側の外周よりも外径を小さくしたことを特徴とする。【００１９】
この発明に係る圧縮機は、上記圧縮機用電動機を搭載したことを特徴とする。【００２０】
この発明に係る圧縮機は、冷媒にＲ２２を使用することを特徴とする。【００２１】
この発明に係る圧縮機は、冷媒にＲ４１０ａを使用することを特徴とする。【００２２】
この発明に係る圧縮機は、冷媒にＣＯ２を使用することを特徴とする。【００２３】
この発明に係る冷凍サイクル装置は、上記圧縮機と、凝縮器と、減圧装置と、蒸発器とを冷媒配管で接続したことを特徴とする。
【発明の効果】
【００２４】
この発明に係る圧縮機用電動機は、上記構成により、部品価格の高騰及び運転中の効率の低下を抑えつつ、且つ起動トルクを大きくできる。
【発明を実施するための最良の形態】
【００２５】
実施の形態１．
図１乃至１４は実施の形態１を示す図で、図１は回転式圧縮機１００の縦断面図、図２は電動要素１３を示す横断面図、図３は電動要素１３の回転子１１を示す横断面図、図４は電動要素１３の回転子１１を示す斜視図、図５はエンドリング３２に切欠き３４を設けた回転子１１の側面図、図６はエンドリング風穴３２ａを設けた回転子１１の側面図、図７は固定子１２側に風穴を設ける例を示す電動要素１３付近の横断面図、図８、図９は回転子１１のスロットの横断面図、図１０はエンドリング３２と回転子鉄心１１ａとの体積比率と、二次抵抗Ｒ２及びモータ効率との関係を示す図、図１１は電動要素１３の部分横断面図、図１２は一重かご形と二重かご形のトルクリップルを示す図、図１３は外周の一部に切削部を設けた回転子１１の側面図、図１４は回転式圧縮機１００を使用する冷凍サイクル装置の構成図である。【００２６】
本実施の形態は、回転式圧縮機等の圧縮機に使用される電動機の回転子の構造に特徴がある。【００２７】
回転式圧縮機における電動機の回転子の構造以外は公知のものである。従って、図１を参照しながら１シリンダの回転式圧縮機（圧縮機の一例）の全体構成を簡単に説明する。【００２８】
図１に示すように、回転式圧縮機１００（圧縮機の一例）は、密閉容器４内に、圧縮要素１０と電動要素１３（圧縮機用電動機と呼ぶ）と図示しない冷凍機油とを収納している。冷凍機油は、密閉容器４内の底部に貯留している。冷凍機油は、主に圧縮要素１０の摺動部を潤滑する。密閉容器４は、胴部１と上皿容器２と下皿容器３とからなる。【００２９】
圧縮要素１０は、シリンダ５、上軸受け６（軸受けの一例）、下軸受け７（軸受けの一例）、駆動軸８、ローリングピストン９、ベーン等で構成される。シリンダ５は内部に圧縮室を形成する。上軸受け６、下軸受け７は、シリンダ５の両端開口部（軸方向）を閉塞する。また、上軸受け６、下軸受け７は、駆動軸８の偏芯部が受ける圧縮荷重を支持する。ローリングピストン９が、駆動軸８の偏芯部に嵌合する。ベーンは、シリンダ５の溝内を往復運動し、先端がローリングピストン９と接する。シリンダ５と、ローリングピストン９と、ベーンとにより圧縮室が形成される。【００３０】
電動要素１３は、密閉容器４の胴部１に固定される固定子１２と、固定子１２の内部で回転する回転子１１とを有する。【００３１】
回転子１１は、詳細は後述するが、アルミダイキャスト製の二重かご形回転子である。回転子１１は、その内周に駆動軸８が固定される。【００３２】
固定子１２の巻線２０にリード線２１が接続される。リード線２１は、ガラス端子１７に接続する。ガラス端子１７は、密閉容器４に溶接により固定されている。ガラス端子１７に、外部の電源から電力が供給される。【００３３】
回転式圧縮機１００は、密閉容器４の外部に吸入マフラー１４を備える。吸入マフラー１４は、液冷媒が直接回転式圧縮機１００に吸入されないようにするために設けられる。吸入マフラー１４の吸入管１５が圧縮要素１０のシリンダ５に接続する。圧縮要素１０で圧縮された高温・高圧のガス冷媒は、電動要素１３を通過し、最後に吐出管１６から外部へ吐出される。【００３４】
ここで、本実施の形態の基本概念を説明しておく。単相の交流電源用の回転式圧縮機１００の電動要素１３に、単相誘導電動機を用いるとする。単相誘導電動機は、部品価格を抑えるために、運転用のコンデンサのみを用いるコンデンサモータとする。コンデンサモータは、三相誘導電動機に比べると起動トルクが小さい。また、コンデンサモータの起動トルクは、回転子１１（かご形回転子）の二次抵抗に関係する。コンデンサモータの起動トルクは、回転子１１の二次抵抗を大きくするほど大きくなる。しかし、回転子１１の二次抵抗は、コンデンサモータの運転中の効率にも関係する。回転子１１の二次抵抗が大きいと、コンデンサモータの運転中の効率は低下する。【００３５】
回転子１１の二次抵抗Ｒ２は、アルミバーの抵抗をＲｂ、エンドリングの抵抗をＲｒとすると、
Ｒ２＝ｋ１×（Ｒｂ＋Ｒｒ）                          （１）
で表される。ここで、ｋ１は定数である。【００３６】
回転子１１が普通かご形回転子（一重かご形）の場合、アルミバーの抵抗Ｒｂは、すべり（固定子１２の巻線２０が形成する回転磁界と回転子１１との相対速度）の大きい起動時と、すべりの小さい運転時とで余り変わらない。アルミバーの径方向の深さが長い場合、多少起動時の抵抗Ｒｂよりも運転時の抵抗Ｒｂが小さくなる程度である。【００３７】
運転中の効率を考慮して回転子１１の二次抵抗Ｒ２は、余り大きくできない。そのため、二次抵抗Ｒ２に関係する起動トルクは、比較的小さい。【００３８】
そこで、通常は起動用のコンデンサを追加して、起動トルクを大きくすることが行われる。しかし、起動用のコンデンサを追加すると部品価格が上がる。【００３９】
部品価格を上げないで、且つ運転中の効率も下げないで起動トルクを改善する方法を模索した。【００４０】
その結果、二重かご形回転子が有力であることが判明した。二重かご形回転子は、以下に示す特徴を有する。【００４１】
即ち、二重かご形回転子は、抵抗の大きい外層スロット（回転子鉄心の外周に沿って設けられたスロット）と、抵抗の小さい内層スロット（外層スロットよりも回転子鉄心の内周に近い部分に、外層スロットに沿って設けられたスロット）を備える。二重かご形回転子を有する誘導電動機は一般的な特徴として、起動時はすべり周波数が高くなる。そのため、回転子外周側に磁束が流れる。主として抵抗の高い外層スロットのみに二次電流が流れることで、起動トルクが大きくなる。また通常運転時は、すべり周波数が低い。そのため、二次電流は外層スロットと内層スロットの両方に流れる。従って、二次抵抗が小さくなり、二次銅損が低くなる。よって、高効率化が実現できるという特性を有している。【００４２】
二重かご形回転子を回転式圧縮機１００の回転子１１に適用する場合の実施例について以下説明を行う。【００４３】
先ず、図２乃至図４により、単相誘導電動機を用いる電動要素１３の構成を簡単に説明する。電動要素１３は、固定子１２と、固定子１２の内部で回転する回転子１１とを有する。【００４４】
図１に示す固定子１２は、二極の単相誘導電動機の固定子である。固定子１２は、固定子鉄心１２ａと固定子スロット１２ｂに挿入される主巻線２０ａおよび補助巻線２０ｂとを備える。主巻線２０ａおよび補助巻線２０ｂで、巻線２０を構成する。固定子スロット１２ｂには巻線２０と固定子鉄心１２ａとの間の絶縁を確保するために絶縁材が挿入されるが、ここでは省略する。この例では、固定子スロット１２ｂの数は２４である。但し、これは一例であり、スロット数が２４に限定されるものではない。【００４５】
固定子鉄心１２ａは、板厚が０．１〜１．５ｍｍの電磁鋼板を所定の形状に打ち抜き、軸方向に積層し、カシメや溶接等により固定して製作される。固定子鉄心１２ａの外周面には、外周円形状を略直線状に切り欠いた略直線部をなす切欠き１２ｃが設けられている。【００４６】
回転式圧縮機１００に図２の固定子１２を用いた単相誘導電動機を使用する場合に、固定子１２は回転式圧縮機１００の円筒状の密閉容器４に焼き嵌めされる。そのため、切欠き１２ｃが、固定子１２と密閉容器４との間に冷媒の通路を確保するために必要である。【００４７】
固定子スロット１２ｂには、同心巻方式又は重ね巻方式の主巻線２０ａが挿入される。主巻線２０ａに電流を流すことで主巻線磁束が生成される。また固定子スロット１２ｂには主巻線２０ａと同様に同心巻方式又は重ね巻方式の補助巻線２０ｂが挿入される。補助巻線２０ｂに電流を流すことで補助巻線磁束が生成される。【００４８】
一般的には主巻線磁束と補助巻線磁束のなす角度は電気角で９０度である（ここでは極数が二極であるため、機械角も９０度である）。補助巻線２０ｂと直列に運転コンデンサ（図示せず）を接続したものに主巻線を並列接続させる。そして、その両端を単相交流電源へ接続する。それにより、主巻線磁束および補助巻線磁束を生成し、二極の回転磁界を生成することができる。【００４９】
また、回転子１１は回転子鉄心１１ａと二重かご形導体を備える。二重かご形導体は、アルミバー３０と、エンドリング３２とで構成される。アルミバー３０は、外層スロット４０ａに鋳込まれる外層アルミバー３０ａ（外層二次導体）と、内層スロット４０ｂに鋳込まれる内層アルミバー３０ｂ（内層二次導体）とで構成される。エンドリング３２（二個）は、回転子１１の軸方向両端に設けられる。エンドリング３２は、文字通りリング状（ドーナッツ状）である。エンドリング３２は、各アルミバー３０（外層アルミバー３０ａ、内層アルミバー３０ｂ）の両端に連結する。【００５０】
回転子鉄心１１ａは、固定子鉄心１２ａと同様に板厚が０．１〜１．５ｍｍの電磁鋼板を所定の形状に打ち抜き、軸方向に積層して製作される。一般的には回転子鉄心１１ａは、固定子鉄心１２ａと同一の材料から打ち抜くことが多い。但し、回転子鉄心１１ａと固定子鉄心１２ａの材料を変えても構わない。【００５１】
回転子鉄心１１ａは、二重かご形状の回転子スロット４０を有する。回転子スロット４０は、外層スロット４０ａと内層スロット４０ｂとからなる。外層スロット４０ａは、半径方向外周側に設けられる。内層スロット４０ｂは、外層スロット４０ａの内側に設けられる。【００５２】
外層スロット４０ａ及び内層スロット４０ｂともに導電性材料であるアルミが鋳込まれる。そして、外層スロット４０ａ内に外層アルミバー３０ａが鋳込まれる。また、内層スロット４０ｂ内に内層アルミバー３０ｂが鋳込まれる。外層アルミバー３０ａ及び内層アルミバー３０ｂと、回転子１１の積層方向両端面に設けられたエンドリング３２と共にかご形二次巻線を形成する。一般的にアルミバー３０とエンドリング３２はダイキャストにより同時にアルミを鋳込むことで製作される。【００５３】
図２において、二重かご形状を構成する外層スロット４０ａと内層スロット４０ｂは電磁鋼板からなる内周薄肉（外層スロット４０ａと内層スロット４０ｂとの間に設ける薄肉部分）によって分離されている。外層スロット４０ａ内部の外層アルミバー３０ａと内層スロット４０ｂ内部の内層アルミバー３０ｂとは、エンドリング３２によって電気的に連結されている構造である。【００５４】
既に述べたように、二重かご形回転子を用いる電動要素１３（単相誘導電動機）は、起動時には外層アルミバー３０ａに電流が流れる。内層アルミバー３０ｂには電流が殆ど流れない。そのため、アルミバー３０の抵抗Ｒｂが大きくなり、二次抵抗Ｒ２が大きくなる。二次抵抗Ｒ２は、（１）式に示すようにアルミバー３０の抵抗Ｒｂ、エンドリング３２の抵抗Ｒｒの和に比例する。要求される起動トルクを出すために必要な二次抵抗Ｒ２は、アルミバー３０の抵抗Ｒｂで稼げる。従って、エンドリング３２の抵抗Ｒｒは小さくてよい。【００５５】
電動要素１３（単相誘導電動機）の運転中の効率を上げるには、二次抵抗Ｒ２は小さい方がよい。電動要素１３（単相誘導電動機）の運転中は、前述の理由により、内層アルミバー３０ｂにも電流が流れる。その分、アルミバー３０の面積が増加して、アルミバー３０の抵抗Ｒｂは起動時よりも運転中の方が小さくなる。【００５６】
エンドリング３２の抵抗Ｒｒも小さければ、二次抵抗Ｒ２はさらに小さくなる。【００５７】
電動要素１３に普通かご形回転子（一重かご形）を用いる場合は、アルミバー３０の抵抗Ｒｂが起動時と運転時で余り変わらない。そのため、要求される起動トルクを出すためには、エンドリング３２の抵抗Ｒｒは余り小さくできない。【００５８】
電動要素１３に二重かご形回転子を用いることで、要求される起動トルクを出すために必要な二次抵抗Ｒ２は、アルミバー３０の抵抗Ｒｂで稼げる。従って、エンドリング３２の抵抗Ｒｒを小さくして、運転中の効率を上げることができる。【００５９】
エンドリング３２の抵抗Ｒｒを小さくするには、エンドリング３２の体積を大きくすることになる。エンドリング３２の体積を大きくする場合、エンドリング３２の外周を、径方向に延ばすことは難しい。それは、エンドリング３２のダイキャスト型が回転子鉄心１１ａの軸方向の端面の外周部近傍を押さえる押さえ代が必要なためである。即ち、エンドリング３２は、回転子１１の径方向の外側には拡大できない。【００６０】
エンドリング３２を軸方向に延ばすことは可能である。しかし、エンドリング３２を軸方向に延ばすと、回転式圧縮機１００の高さが高くなる。特に、図１の上軸受け６側のエンドリング３２は、回転式圧縮機１００の高さへの影響が大である。【００６１】
そこで、エンドリング３２の体積を大きくする、残された方法は、エンドリング３２を回転子１１の径方向の内側に延ばすことである。【００６２】
エンドリング３２を回転子１１の径方向の内側に延ばす場合、種々の制約がある。
（１）回転式圧縮機１００の回転子１１には、通常冷媒の通路となる風穴３３（図２、図３）が開けられている。エンドリング３２を回転子１１の径方向の内側に延ばすと、この風穴３３を塞いでしまう。従って、エンドリング３２は風穴３３を塞がないように、逃がし部（風穴３３を外部と連通させる部分）が必要になる。
（２）アルミダイキャストで回転子１１を製作する場合、ダイキャスト型の内周部が回転子鉄心１１ａを押さえる押さえ代が少なくとも数ミリ必要である。例えば、押さえ代は４ｍｍ以上必要である。従って、エンドリング３２の内径は、回転子１１の軸孔３１（図２、図３）の直径よりも８ｍｍ以上大きくする必要がある。【００６３】
エンドリング３２の内径側は風穴３３を塞ぐように駆動軸側に拡大するため、風穴３３を塞がないようにするために、エンドリング３２に逃がし部（風穴３３を外部と連通させる部分、例えば、風穴３３を密閉容器４内の空間に連通させる部分）を設ける例を以下説明する。【００６４】
図５に示す例は、逃がし部をエンドリング３２の内周に設けた切欠き３４で形成している。切欠き３４は、エンドリング３２の風穴３３相当部分に形成する。切欠き３４は、風穴３３が露出するように設けられる。図５に示す回転子１１には、４個の風穴３３が開けられている。従って、切欠き３４も４箇所に設けられる。【００６５】
また、アルミダイキャストで回転子１１を製作する場合の、ダイキャスト型の内周部が回転子鉄心１１ａを押さえる押さえ代を確保するために、エンドリング３２の内周と軸孔３１との距離Ｌを４ｍｍ以上とする。【００６６】
回転子鉄心１１ａの風穴３３とエンドリング３２の切欠き３４との位置決めは、アルミダイキャスト型の切欠き３４対応部分の軸方向先端に位置決め用突起を設けることで可能となる。位置決め用突起を回転子鉄心１１ａの風穴３３に挿入して位置決めを行う。【００６７】
単相誘導電動機は、通常回転子１１のアルミバー３０は、スキューが行われる。即ち、アルミバー３０は、回転子１１の軸に平行ではなく傾いている。スキューは、固定子１２の巻線２０の発生する磁界の中の高調波成分（特にスロット高調波）の電圧がアルミバー３０に誘起しないようにするために行われる。【００６８】
回転子１１のアルミバー３０がスキューされていると、アルミダイキャスト型の位置決め用突起を回転子鉄心１１ａの風穴３３に挿入しにくい。そこで、アルミバー３０の軸方向の両端部は、所定の長さ（アルミダイキャスト型の位置決め用突起の軸方向長さより長い）を軸と平行にする。これにより、アルミダイキャスト型の位置決め用突起をスムーズに回転子鉄心１１ａの風穴３３に挿入することができる。但し、回転子１１のアルミバー３０が全長に亘ってスキューされていても、アルミダイキャスト型の位置決め用突起の径を小さくすれば挿入可能である。この場合、回転子鉄心１１ａの風穴３３とエンドリング３２の切欠き３４との位置決めの精度が若干悪くなる程度である。【００６９】
エンドリング３２の内径側は風穴３３を塞ぐように駆動軸側に拡大するため、風穴３３を塞がないようにするために、エンドリング３２に逃がし部（風穴３３を外部と連通させる部分、例えば、風穴３３を密閉容器４内の空間に連通させる部分）を設ける他の例を図６により説明する。【００７０】
図６に示すように、回転子鉄心１１ａの風穴３３に連通するエンドリング風穴３２ａを形成する。エンドリング風穴３２ａは、回転子鉄心１１ａの風穴３３に連通するようにアルミダイキャスト時に位置決めされて形成される。図６に示す回転子１１には、４個の風穴３３が開けられている。従って、エンドリング風穴３２ａも４箇所に設ける。【００７１】
また、図５のケースと同様、アルミダイキャストで回転子１１を製作する場合の、ダイキャスト型の内周部が回転子鉄心１１ａを押さえる押さえ代を確保するために、エンドリング３２の内周と軸孔３１との距離Ｌを４ｍｍ以上とする。【００７２】
さらに、回転子鉄心１１ａの風穴３３とエンドリング３２のエンドリング風穴３２ａとの位置決めは、アルミダイキャスト型のエンドリング風穴３２ａ対応部分の軸方向先端に位置決め用突起を設けることで可能となる。位置決め用突起を回転子鉄心１１ａの風穴３３に挿入して位置決めを行う。【００７３】
従って、エンドリング風穴３２ａの直径は、回転子鉄心１１ａの風穴３３の直径よりも若干大きい。【００７４】
図５、図６では、回転子１１に風穴３３を設ける例を示した。図７に示すように、風穴を固定子１２側に設けてもよい。図７に示すように、固定子鉄心１２ａの外周に切欠き１２ｃを設ける。図７では、切欠き１２ｃを６箇所に設ける。固定子鉄心１２ａの切欠き１２ｃと密閉容器４（胴部１）との間に空間が形成される。この空間が固定子風穴３５になる。これらの６箇所の固定子風穴３５と、固定子１２と回転子１１との間の空隙３６（径方向の寸法が、例えば０．５ｍｍ程度）とが、圧縮要素１０から吐出される高温・高圧のガス冷媒の通路となる。電動要素１３を通過した高温・高圧のガス冷媒は吐出管１６から外部（冷凍サイクル）へ吐出される。【００７５】
図７では固定子鉄心１２ａの外周に切欠き１２ｃを設けたが、外周ではなく固定子鉄心１２ａのコアバック（固定子スロット１２ｂの外側の部分）に固定子風穴３５を設けてもよい。【００７６】
このように、風穴（固定子風穴３５）を固定子１２側に設けることにより、エンドリング３２の拡大（エンドリング３２の内径側を駆動軸の近傍に位置するように延ばす）ができる。また、固定子１２を通過する冷媒流量が増加するので、固定子１２の巻線２０が冷却されて温度上昇が抑制される効果も有する。【００７７】
尚、図７では固定子１２はスロット１２ｂ等を省略している。回転子１１のスロット形状は、図８、図９に示すような所謂二重かご形である。外層スロット４０ａと内層スロット４０ｂとは、図８に示すように連結していても、図９に示すように連結していなくてもよい。【００７８】
次に、両側のエンドリング３２の合計の体積と、回転子鉄心１１ａの体積との比（これを、エンドリング体積比とする）と、回転子１１の二次抵抗Ｒ２及びモータ効率との関係を図１０により説明する。【００７９】
既に説明したように、回転子１１の二次抵抗Ｒ２は、（１）式で表される。即ち、二次抵抗Ｒ２は、アルミバーの抵抗Ｒｂとエンドリングの抵抗Ｒｒの和に比例する。従って、エンドリング体積比を大きくしてエンドリングの抵抗Ｒｒを小さくしても、二次抵抗Ｒ２はアルミバーの抵抗Ｒｂに収束する。【００８０】
エンドリング体積比が大きくなると、二次抵抗Ｒ２が小さくなることによりモータ効率が増加する。しかし、二次抵抗Ｒ２が下限値に近づく（収束する）とともに、モータ効率も上限値に収束する。【００８１】
従って、エンドリング体積比は、例えば、１３％以上が好ましい。【００８２】
次に、固定子１２と回転子１１との間に作用する磁気吸引力について言及する。固定子１２と回転子１１との間に作用する磁気吸引力Ｐは、次式で表される。
Ｐ＝ｋ２×Ｗ×Ｂｍ２                            （２）
ここで、ｋ２は定数、Ｗは固定子鉄心１２ａのコア幅（軸方向の長さ）、Ｂｍは空隙３６（固定子１２と回転子１１との間の距離、図１１参照）における最大磁束密度である。【００８３】
回転子１１に二重かご形回転子を用いることにより、回転子１１の二次抵抗Ｒ２を小さくできる。そのため、停動トルク（起動から無負荷に近い回転数における最大トルクをいう）を大きくすることができる。従って、停動トルクが一定であれば、空隙４１の最大磁束密度Ｂｍをその分小さくする設計が可能となる（固定子１２の巻線２０の仕様を変更する）。【００８４】
空隙３６の最大磁束密度Ｂｍが小さくなれば、（２）式より固定子１２と回転子１１との間に作用する磁気吸引力Ｐが小さくなる。図１に示すように、電動要素１３は、圧縮要素１０の上軸受け６で片側を支持されているだけである。即ち、電動要素１３は、軸受けが片持ち構造である。従って、軸受けで支持されていない上軸受け６側と反対側の回転子１１部分（図１では回転子１１の上部）は、振れ回る。この回転子１１の振れ回りは、磁気吸引力Ｐに関係する。磁気吸引力Ｐが大きいと、回転子１１の振れ回りも大きくなる。【００８５】
このように、回転式圧縮機１００は回転子１１の振れ回りがあるため、空隙長（空隙３６の径方向の長さ）を、電動要素１３の軸受けが両持ち構造の場合よりも大きくしている。【００８６】
回転子１１に二重かご形回転子を用いることにより、固定子１２と回転子１１との間に作用する磁気吸引力Ｐを小さくできる。そのため、回転子１１に一重かご形回転子（普通かご形）を用いる場合より、空隙長を小さくできる。例えば、固定子１２と回転子１１との間の空隙長（空隙の径方向長さ）を以下のようにすることができる。
（１）固定子１２の外径が１４０ｍｍ以下の場合、空隙長を０．６ｍｍ以下；
（２）固定子１２の外径が１４０ｍｍを超える場合、空隙長を０．８ｍｍ以下。【００８７】
また、図１２に示すように、電動要素１３（誘導電動機）の発生するトルクには高調波成分（トルクリップル）が重畳する。図１２は、横軸が負荷トルク［Ｎｍ］、縦軸がトルクリップル［％］（基本波トルクに対する比率）である。二重かご形と一重かご形（普通かご形）を比較すると、負荷トルクの略全域において、二重かご形のトルクリップルが一重かご形のトルクリップルよりも小さくなっている。【００８８】
回転子１１を二重かご形にすることにより、同一停動トルクにおいて磁気吸引力Ｐ（Ｐ＝ｋ２×Ｗ×Ｂｍ２）が小さくなり、回転子１１の振れ回りを抑えることができ、固定子１２の外径に応じて空隙長を０．６ｍｍ又は０．８ｍｍ以下にすることができることは既に述べた。さらに、図１３に示すように、回転子鉄心１１ａの外周の一部（図１の上軸受け６側と反対側）を所定量切削して切削部３８とする。そして、切削部３８における空隙長を固定子１２の外径に応じて０．６ｍｍ又は０．８ｍｍ以下にすれば、切削部３８以外の部分（図１の上軸受け６に近い部分）の空隙長をさらに小さくでき、モータ効率を向上させることができる。【００８９】
二重かご形回転子は、回転子鉄心１１ａのスロット４０が、外層スロット４０ａと内層スロット４０ｂとで構成される。そのため、スロット４０部で、コア（回転子鉄心１１ａ）と二次導体（外層アルミバー３０ａと内層アルミバー３０ｂ）の接触面積が広く、コアと二次導体間の絶縁が悪化する為、ブルーイングまたはポストヒートにより、コアと二次導体の絶縁を行う。ブルーイングとは、回転子鉄心１１ａを熱処理し、回転子鉄心１１ａ表面に酸化被膜を形成するものである。ポストヒートとは、導体をダイキャスト後、回転子１１を加熱、水などの液体に浸して急冷し、スロット４０内の二次導体と回転子鉄心１１ａとの間に隙間を作り回転子鉄心と二次導体を絶縁するものである。【００９０】
回転子鉄心１１ａと二次導体間の絶縁が悪化すると、電動要素１３のトルク波形（回転数に対するトルク特性）にたるみが発生する。電動要素１３のトルク波形にたるみが発生すると、回転式圧縮機１００の起動不良に繋がる。【００９１】
回転式圧縮機１００が組み込まれる冷凍サイクルの冷媒に、Ｒ２２冷媒を使用することもある。その場合、Ｒ２２冷媒を使用すると固定子１２の巻線２０温度が上昇しやすい。そのため、モータの小型化が困難である。電動要素１３に二重かご形回転子を用いることで、効率が改善されるので、小型化又は同一サイズで能力アップが可能になる。【００９２】
また、回転式圧縮機１００が組み込まれる冷凍サイクルの冷媒に、Ｒ４１０ａ冷媒を使用する。Ｒ４１０ａ冷媒を使用する場合は、Ｒ２２冷媒に比べ冷凍能力が約１０％増加する。そのため、電動要素１３のトルクもＲ４１０ａ冷媒を使用する場合は、Ｒ２２冷媒に比べその分（約１０％）大きくする必要がある。この場合、回転子１１に二重かご形回転子を使用することによるトルク改善が有効である。【００９３】
Ｒ２２冷媒使用の回転式圧縮機１００に対し、冷凍能力比でモータを選定し、従来の一重かご形回転子から二重かご形回転子に置き換えるだけで、Ｒ４１０ａ冷媒対応の電動要素１３を構成することができる。【００９４】
さらに、回転式圧縮機１００が組み込まれる冷凍サイクルの冷媒に、ＣＯ２（Ｒ７４４）冷媒を使用する。ＣＯ２冷媒は圧縮比が非常に高く、現在、ＣＯ２冷媒を使用する回転式圧縮機１００の電動要素１３はブラシレスＤＣモータが主流となっている。ＣＯ２冷媒を使用する回転式圧縮機１００に二重かご形電動機を用いることにより、圧縮機サイズを大型化せずに、一定速誘導電動機を搭載したＣＯ２冷媒を用いた回転式圧縮機１００を実現できる。【００９５】
図１４は回転式圧縮機１００を使用する冷凍サイクル装置の構成図である。冷凍サイクル装置は、例えば、空気調和機である。回転式圧縮機１００は単相電源１８に接続される。回転式圧縮機１００の単相誘導電動機の補助巻線２０ｂと単相電源１８との間に運転コンデンサ６０が接続される。単相電源１８から電力が回転式圧縮機１００に供給され、回転式圧縮機１００が駆動する。冷凍サイクル装置（空気調和機）は、回転式圧縮機１００、冷媒の流れる方向を切り替える四方弁５１、室外熱交換器５２、減圧装置５３、室内熱交換器５４等で構成される。これらが冷媒配管で接続される。【００９６】
冷凍サイクル装置（空気調和機）は、例えば、冷房運転時、図１４の矢印のように冷媒が流れる。室外熱交換器５２は凝縮器になる。また、室内熱交換器５４は蒸発器になる。【００９７】
図示はしないが、冷凍サイクル装置（空気調和機）の暖房運転時は、冷媒は図１１の矢印と反対方向の流れとなる。四方弁５１によって、冷媒の流れる方向が切り替えられる。このときは、室外熱交換器５２は蒸発器になる。また、室内熱交換器５４は凝縮器になる。【００９８】
また、冷媒としてＲ１３４ａ、Ｒ４１０ａ、Ｒ４０７ｃ等に代表されるＨＦＣ系冷媒、および、Ｒ７４４（ＣＯ２）、Ｒ７１７（アンモニア）、Ｒ６００ａ（イソブタン）、Ｒ２９０（プロパン）等に代表される自然冷媒が使用される。冷凍機油としてアルキルベンゼン系油に代表される弱相溶性の油又はエステル油に代表される相溶性の油が使用される。圧縮機には、回転式（ロータリ式）以外に、レシプロ式、スクロール式などが使用可能である。【００９９】
二重かご形回転子を搭載した回転式圧縮機１００を冷凍サイクルに用いることにより、冷凍サイクル装置の性能の向上、小型化、低価格化が可能となる。【０１００】
以上の説明では、かご形巻線の材料にアルミを使用する例を示したが、アルミに代えて銅を使用してもよい。【０１０１】
また、二重かご形回転子を用いた単相誘導電動機について説明したが、三相誘導電動機に適用しても同様の効果を奏する。【０１０２】
この発明の実施の形態に係る圧縮機用電動機は、逃がし部をエンドリングの内周に設けた切欠きで構成したことにより、回転子鉄心の風穴を塞ぐことなくエンドリングを拡大できる。【０１０３】
この発明の実施の形態に係る圧縮機用電動機は、逃がし部をエンドリングに設けたエンドリング風穴で構成したことにより、回転子鉄心の風穴を塞ぐことなくエンドリングをさらに拡大できる。【０１０４】
この発明の実施の形態に係る圧縮機用電動機は、密閉容器の内部に冷媒を圧縮する圧縮要素とともに収納され、圧縮要素と駆動軸により連結して圧縮要素を駆動する圧縮機用電動機において、密閉容器の内周部に固定される固定子と、固定子の内側に設けられ、回転子鉄心を有する回転子と、回転子鉄心に鋳込まれる、外層二次導体及び内層二次導体を備える二次導体とエンドリングとで構成される二重かご形導体とを備え、固定子には、冷媒の通路となる固定子風穴を設け、エンドリングの内径側を駆動軸の近傍に位置するように構成することにより、エンドリングをより一層拡大できる。（１）式で示したように、回転子１１の二次抵抗Ｒ２は、アルミバーの抵抗Ｒｂとエンドリングの抵抗Ｒｒとの和である。エンドリングを拡大することにより、エンドリングの抵抗Ｒｒが小さくなり、その結果回転子１１の二次抵抗Ｒ２が小さくなる。回転子１１の二次抵抗Ｒ２が小さくなると、圧縮機用電動機の運転中の効率が向上する。【０１０５】
この発明の実施の形態に係る圧縮機用電動機は、固定子は固定子鉄心を備え、固定子鉄心の外周部に切欠きを設け、密閉容器と固定子鉄心の外周部の切欠きとの間に固定子風穴を設けたことにより、固定子風穴を通過する冷媒により固定子の巻線が冷却されて温度上昇が抑制される。【０１０６】
この発明の実施の形態に係る圧縮機用電動機は、回転子鉄心が駆動軸と嵌合する軸孔を備え、エンドリングの内径を軸孔の直径よりも８ｍｍ以上大きくしたことにより、二重かご形導体のダイキャスト時の型の押さえ代を確保することができる。【０１０７】
この発明の実施の形態に係る圧縮機用電動機は、エンドリングの合計の体積を、回転子鉄心の体積の１３％以上としたことにより、モータ効率を改善できる。【０１０８】
この発明の実施の形態に係る圧縮機用電動機は、圧縮要素は軸受けを備え、圧縮機用電動機は、圧縮要素の軸受けで片側が支持される、軸受けが片持ち構造であり、固定子と回転子との間の空隙の径方向長さを以下のようにすることにより、モータ効率を改善できる。
（１）固定子の外径が１４０ｍｍより小さい場合、空隙の径方向長さを０．６ｍｍ以下；
（２）固定子の外径が１４０ｍｍを超える場合、空隙の径方向長さを０．８ｍｍ以下。【０１０９】
この発明の実施の形態に係る圧縮機用電動機は、回転子鉄心の圧縮要素の軸受けの反対側の外周を切削し、回転子鉄心の圧縮要素の軸受け側の外周よりも外径を小さくしたことにより、さらに固定子と回転子との間の空隙の径方向長さを小さくでき、モータ効率を改善できる。【０１１０】
この発明の実施の形態に係る圧縮機は、上記圧縮機用電動機を搭載したことにより、省エネ、小型化及び低価格化を実現できる。【０１１１】
この発明の実施の形態に係る圧縮機は、冷媒にＲ２２を使用する場合でも、小型化又は同一サイズで能力アップが可能になる。【０１１２】
この発明の実施の形態に係る圧縮機は、冷媒にＲ４１０ａを使用する場合、回転子に二重かご形回転子を使用することによるトルク改善が有効である。【０１１３】
この発明の実施の形態に係る圧縮機は、冷媒にＣＯ２を使用する場合でも、圧縮機サイズを大型化せずに、一定速電動機を搭載したＣＯ２冷媒を用いた圧縮機を実現できる。【０１１４】
この発明の実施の形態に係る冷凍サイクル装置は、上記圧縮機と、凝縮器と、減圧装置と、蒸発器とを冷媒配管で接続したことにより、冷凍サイクル装置の性能の向上、小型化、低価格化が可能となる。
【図面の簡単な説明】
【０１１５】
【図１】実施の形態１を示す図で、回転式圧縮機１００の縦断面図。
【図２】実施の形態１を示す図で、電動要素１３を示す横断面図。
【図３】実施の形態１を示す図で、電動要素１３の回転子１１を示す横断面図。
【図４】実施の形態１を示す図で、電動要素１３の回転子１１を示す斜視図。
【図５】実施の形態１を示す図で、エンドリング３２に切欠き３４を設けた回転子１１の側面図。
【図６】実施の形態１を示す図で、エンドリング風穴３２ａを設けた回転子１１の側面図。
【図７】実施の形態１を示す図で、固定子１２側に風穴を設ける例を示す電動要素１３付近の横断面図。
【図８】実施の形態１を示す図で、回転子１１のスロットの横断面図。
【図９】実施の形態１を示す図で、回転子１１のスロットの横断面図。
【図１０】実施の形態１を示す図で、エンドリング３２と回転子鉄心１１ａとの体積比率と、二次抵抗Ｒ２及びモータ効率との関係を示す図。
【図１１】実施の形態１を示す図で、電動要素１３の部分横断面図。
【図１２】実施の形態１を示す図で、一重かご形と二重かご形のトルクリップル波形を示す図。
【図１３】実施の形態１を示す図で、外周の一部に切削部を設けた回転子１１の側面図。
【図１４】実施の形態１を示す図で、回転式圧縮機１００を使用する冷凍サイクル装置の構成図。
【符号の説明】
【０１１６】
１  胴部、２  上皿容器、３  下皿容器、４  密閉容器、５  シリンダ、６  上軸受け、７  下軸受け、８  駆動軸、９  ローリングピストン、１０  圧縮要素、１１  回転子、１１ａ  回転子鉄心、１２  固定子、１２ａ  固定子鉄心、１２ｂ  固定子スロット、１２ｃ  切欠き、１３  電動要素、１４  吸入マフラー、１５  吸入管、１６  吐出管、１７  ガラス端子、１８  単相電源、２０  巻線、２０ａ  主巻線、２０ｂ  補助巻線、２１  リード線、３０  アルミバー、３０ａ  外層アルミバー、３０ｂ  内層アルミバー、３１  軸孔、３２  エンドリング、３２ａ  エンドリング風穴、３３  風穴、３４  切欠き、３５  固定子風穴、３６  空隙、３８  切削部、４０ａ  外層スロット、４０ｂ  内層スロット、５１  四方弁、５２  室外熱交換器、５３  減圧装置、５４  室内熱交換器、６０  運転コンデンサ、１００  回転式圧縮機。
【図１】
2009084245.tif 000003
【図２】
2009084245.tif 000004
【図３】
2009084245.tif 000005
【図４】
2009084245.tif 000006
【図５】
2009084245.tif 000007
【図６】
2009084245.tif 000008
【図７】
2009084245.tif 000009
【図８】
2009084245.tif 000010
【図９】
2009084245.tif 000011
【図１０】
2009084245.tif 000012
【図１１】
2009084245.tif 000013
【図１２】
2009084245.tif 000014
【図１３】
2009084245.tif 000015
【図１４】
2009084245.tif 000016
【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
密閉容器の内部に冷媒を圧縮する圧縮要素とともに収納され、前記圧縮要素と駆動軸により連結して該圧縮要素を駆動する圧縮機用電動機において、
前記密閉容器の内周部に固定される固定子と、
前記固定子の内側に設けられ、回転子鉄心を有する回転子と、
前記回転子鉄心に設けられ、外層二次導体及び内層二次導体を備える二次導体とエンドリングとで構成される二重かご形導体とを備え、
前記回転子鉄心には、前記冷媒の通路となる風穴を設け、
前記エンドリングは内径側が前記風穴の少なくとも一部を塞ぐように設けられるとともに、該エンドリングに前記風穴を前記密閉容器の空間に連通させる逃がし部を有することを特徴とする圧縮機用電動機。
【請求項２】
前記逃がし部を前記エンドリングの内周に設けた切欠きで構成したことを特徴とする請求項１記載の圧縮機用電動機。
【請求項３】
前記逃がし部を前記エンドリングに設けたエンドリング風穴で構成したことを特徴とする請求項１記載の圧縮機用電動機。
【請求項４】
密閉容器の内部に冷媒を圧縮する圧縮要素とともに収納され、前記圧縮要素と駆動軸により連結して該圧縮要素を駆動する圧縮機用電動機において、
前記密閉容器の内周部に固定される固定子と、
前記固定子の内側に設けられ、回転子鉄心を有する回転子と、
前記回転子鉄心に設けられ、外層二次導体及び内層二次導体を備える二次導体とエンドリングとで構成される二重かご形導体とを備え、
前記固定子には、前記冷媒の通路となる固定子風穴を設け、
前記エンドリングの内径側を前記駆動軸の近傍に位置するように構成することを特徴とする圧縮機用電動機。
【請求項５】
前記固定子は固定子鉄心を備え、前記固定子鉄心の外周部に切欠きを設け、前記密閉容器と前記固定子鉄心の外周部の切欠きとの間に前記固定子風穴を設けたことを特徴とする請求項４記載の圧縮機用電動機。
【請求項６】
前記回転子鉄心は前記駆動軸と嵌合する軸孔を備え、前記エンドリングの内径を前記軸孔の直径よりも８ｍｍ以上大きくしたことを特徴とする請求項１記載の圧縮機用電動機。
【請求項７】
前記回転子鉄心は前記駆動軸と嵌合する軸孔を備え、前記エンドリングの内径を前記軸孔の直径よりも８ｍｍ以上大きくしたことを特徴とする請求項４記載の圧縮機用電動機。
【請求項８】
前記エンドリングの合計の体積を、前記回転子鉄心の体積の１３％以上としたことを特徴とする請求項１記載の圧縮機用電動機。
【請求項９】
前記エンドリングの合計の体積を、前記回転子鉄心の体積の１３％以上としたことを特徴とする請求項４記載の圧縮機用電動機。
【請求項１０】
前記圧縮要素は軸受けを備え、前記圧縮機用電動機は、前記圧縮要素の軸受けで片側が支持される、軸受けが片持ち構造であり、
前記固定子と前記回転子との間の空隙の径方向長さを以下のようにすることを特徴とする請求項１記載の圧縮機用電動機。
（１）前記固定子の外径が１４０ｍｍより小さい場合、前記空隙の径方向長さを０．６ｍｍ以下；
（２）前記固定子の外径が１４０ｍｍを超える場合、前記空隙の径方向長さを０．８ｍｍ以下。
【請求項１１】
前記回転子鉄心の前記圧縮要素の軸受けの反対側の外周を切削し、前記回転子鉄心の前記圧縮要素の軸受け側の外周よりも外径を小さくしたことを特徴とする請求項１０記載の圧縮機用電動機。
【請求項１２】
請求項１記載の圧縮機用電動機を搭載したことを特徴とする圧縮機。
【請求項１３】
冷媒にＲ２２を使用することを特徴とする請求項１２記載の圧縮機。
【請求項１４】
冷媒にＲ４１０ａを使用することを特徴とする請求項１２記載の圧縮機。
【請求項１５】
冷媒にＣＯ２を使用することを特徴とする請求項１２記載の圧縮機。
【請求項１６】
請求項１２記載の圧縮機と、凝縮器と、減圧装置と、蒸発器とを冷媒配管で接続したことを特徴とする冷凍サイクル装置。
【請求項１７】
請求項１３記載の圧縮機と、凝縮器と、減圧装置と、蒸発器とを冷媒配管で接続したことを特徴とする冷凍サイクル装置。
【請求項１８】
請求項１４記載の圧縮機と、凝縮器と、減圧装置と、蒸発器とを冷媒配管で接続したことを特徴とする冷凍サイクル装置。
【請求項１９】
請求項１５記載の圧縮機と、凝縮器と、減圧装置と、蒸発器とを冷媒配管で接続したことを特徴とする冷凍サイクル装置。
【手続補正２】
【補正対象書類名】明細書
【補正対象項目名】００１０
【補正方法】変更
【補正の内容】
【００１０】
この発明に係る圧縮機用電動機は、密閉容器の内部に冷媒を圧縮する圧縮要素とともに収納され、圧縮要素と駆動軸により連結して圧縮要素を駆動する圧縮機用電動機において、
密閉容器の内周部に固定される固定子と、
固定子の内側に設けられ、回転子鉄心を有する回転子と、
回転子鉄心に設けられ、外層二次導体及び内層二次導体を備える二次導体とエンドリングとで構成される二重かご形導体とを備え、
回転子鉄心には、冷媒の通路となる風穴を設け、
エンドリングは内径側が風穴の少なくとも一部を塞ぐように設けられるとともに、該エンドリングに風穴を密閉容器の空間に連通させる逃がし部を有することを特徴とする。
【手続補正３】
【補正対象書類名】明細書
【補正対象項目名】００１３
【補正方法】変更
【補正の内容】
【００１３】
この発明に係る圧縮機用電動機は、密閉容器の内部に冷媒を圧縮する圧縮要素とともに収納され、圧縮要素と駆動軸により連結して該圧縮要素を駆動する圧縮機用電動機において、
密閉容器の内周部に固定される固定子と、
固定子の内側に設けられ、回転子鉄心を有する回転子と、
回転子鉄心に設けられ、外層二次導体及び内層二次導体を備える二次導体とエンドリングとで構成される二重かご形導体とを備え、
固定子には、冷媒の通路となる固定子風穴を設け、
エンドリングの内径側を駆動軸の近傍に位置するように構成することを特徴とする。
【手続補正４】
【補正対象書類名】明細書
【補正対象項目名】００８３
【補正方法】変更
【補正の内容】
【００８３】
回転子１１に二重かご形回転子を用いることにより、回転子１１の二次抵抗Ｒ２を小さくできる。そのため、停動トルク（起動から無負荷に近い回転数における最大トルクをいう）を大きくすることができる。従って、停動トルクが一定であれば、空隙３６の最大磁束密度Ｂｍをその分小さくする設計が可能となる（固定子１２の巻線２０の仕様を変更する）。
【手続補正５】
【補正対象書類名】明細書
【補正対象項目名】００９７
【補正方法】変更
【補正の内容】
【００９７】
図示はしないが、冷凍サイクル装置（空気調和機）の暖房運転時は、冷媒は図１４の矢印と反対方向の流れとなる。四方弁５１によって、冷媒の流れる方向が切り替えられる。このときは、室外熱交換器５２は蒸発器になる。また、室内熱交換器５４は凝縮器になる。
【国際調査報告】
2009084245.tif 000017
2009084245.tif 000018
2009084245.tif 000019
2009084245.tif 000020